(57)【要約】【課題】  内容物の詰め替え時に、容器を支えて倒れ難くする容器支持台座を提供する。【解決手段】スポンジ状の素材で形成された台座の中央をくり抜き、くり抜いた部分を着脱自在な中台座とし、その中台座の中央に切り込み部を設けたことを特徴とする容器支持台座。【選択図】図１
2020158201.tif 000002
【特許請求の範囲】
【請求項１】
スポンジ状の素材で形成された台座の中央をくり抜き、くり抜いた部分を着脱自在な中台座とし、その中台座の中央に切り込み部を設けたことを特徴とする容器支持台座。
【発明の詳細な説明】
【技術分野】
【０００１】  本発明は、空の容器に内容物を入れる際に、その容器を倒れないように支える台座に関するものである
【背景技術】
【０００２】  シャンプーや洗剤等が充填される容器として再利用可能なものがある。これらの容器に詰め替え用パックに充填されている洗剤等の内容物を空になった容器に移し替える。このような詰め替え作業を補助するものとして、特許文献１には、詰め替え時に、容器を支えて倒れ難くする容器支持具が開示されている。【０００３】  具体的には、特許文献１に開示された容器支持具では、可撓性のあるカップ状の本体に容器の下部を挿入させ、着脱自在な弾性バンドによって本体を撓ませ開口部が狭まることにより容器が固定され倒れ難くすることができる。
【先行技術文献】
【特許文献】
【０００４】
【特許文献１】実登３２０４９９０号公報
【発明の概要】
【発明が解決しようとする課題】
【０００５】  詰め替え作業をする際に容器がきちんと支持されていないと、容器が揺れたり倒れたりして、詰替えの内容物をこぼしてしまうことが多い。特に一人で詰め替え作業をするのは難しかった。それを解決するため、上記の特許文献１では、カップ状の本体と、弾性バンドの組み合わせで容器を支持しているが、本体と固定しようと挿入した容器との間に隙間が生じやすく、また、詰め替える容器はある一定以上の大きさの必要があった。
本発明は、これらの問題点を解決するためになされたものである。
【課題を解決するための手段】
【０００６】  スポンジ状の素材で形成された台座の中央をくり抜き、くり抜いた部分を着脱自在の中台座とし、その中台座の中央に切り込み部を設けたことを特徴とする容器支持台座である。
【発明の効果】
【０００７】  本発明の容器支持台座を形成するスポンジ状の素材は伸縮性や復元力特性に富んでいるので、容易に変形し、且つ適度に加圧することができる。また、本発明の容器支持台座は外台座と中台座の二つの台座からなり、中台座に切り込み部を設けたことにより、さらに、変形、加圧を容易にしている。すなわち、容器支持台座から中台座を係脱することで生じた外台座の空洞部、中台座を係脱させずに中台座の一端側から押圧し縮小させることで外台座との間に生じる空洞部、また、中台座の中央に設置された切り込み部、この２つの空洞部と一つの切り込み部の３つの部位で、大小及び形も様々な詰替え容器を挿入して、支持することができる。このように、本容器支持台座ひとつあれば、家中の大小、形を問わず全ての詰替え容器に対応できて便利である。また、詰替え容器がしっかりと支持されているので、一人で詰め替え作業をする際も、両手で詰替えの内容物の入った袋をもつことができるので、安心して容器の注ぎ口に向けて注ぐことができる。【０００８】  本発明の容器支持台座は、スポンジ状の素材で形成されているため、本容器支持台座と作業場所との接地面に摩擦を生じ、滑りにくいので設置すると安定性が増す。【０００９】  本発明の容器支持台座は、スポンジ状の素材の保水性により、詰め替え作業時に内容物をこぼしたとしても、本容器支持台座が保水することにより、こぼれた内容物が飛散しにくい。また、汚れても洗浄及び乾燥が容易に出来るので便利である。【００１０】  本発明の容器支持台座中央に設置された切り込み部に紐等を通して取り付けることにより、不使用時には、該紐等を壁等に固定されるフック等に引っ掛けて、本台座を掛けておくことができるので、収納スペースをセーブできる。
【図面の簡単な説明】
【００１１】
【図１】  本発明の斜視図である。
【図２】  本発明のくり抜き部を係脱させた状態の斜視図である。
【図３】  本発明の実施例（１）を示した斜視図である。
【図４】  本発明の実施例（２）を示した斜視図である。
【図５】  本発明の実施例（３）を示した斜視図である
【図６】  本発明の実施例（４）を示した斜視図である
【発明を実施するための形態】
【００１２】  以下、本発明の実施形態について説明する。
図１に示されるように、容器支持台座１はスポンジ状の素材で形成され、中央に着脱自在な中台座３とその外側の外台座２で構成されている。不使用時には中台座３は外台座２に挿嵌されている。中台座３は中央に、中台座３を貫通している切り込み部５を設置している。
本発明は以上のような構成である。
【００１３】  以下、図面に基づき本発明の使用の説明をする。
【実施例１】図３は大容器６の下部を外台座２の空洞部４に挿入し固定している。スポンジ状の素材から形成されているため伸縮性があり、容器が多少大きくても挿入しやすい。
【実施例２】
【００１４】図４は中容器７の下部を外台座２の空洞部４に挿入し固定している。スポンジ状の素材の復元力特性で容器は加圧され固定される。中容器７は、空洞部４の直径以上の直径を持つ中程度の容器である。
【実施例３】
【００１５】図５は中容器８の支持方法を示すもので、中容器８は、空洞部４の直径以下の直径を持つ中程度の容器である。図５の中台座１０及び切り込み部１１は、図１に示すところの中台座３と中台座３を貫通する切り込み部５である。この、切り込み部を有する構成により、中台座１０を、切り込み部１１の長手方向の一方から他方側へ押圧すると図５の示すように、切り込み部１１がハート形状に開くことで押圧、縮小の加減がし易く、中台座１０は容易に変形し、空洞部４を様々な大きさや形状の容器に対し好適に調整できる。また、スポンジ状の素材の復元力特性で容器はしっかりと加圧され固定される。【００１６】  上記の大容器６、中容器７、中容器８はプラスチック、ガラス等により形成されるボトル状の容器であり、シャンプーや洗剤等の液体状の内容物が充填される。この他、ペットボトルや水筒、哺乳瓶等も支持することができる。
【実施例４】
【００１７】図６は切り込み部５に小容器９を挿入し固定している。スポンジ状の素材の復元力特性で、挿入した容器が加圧され固定される。小容器８は香水や化粧品を旅行用に詰め替え使用するアトマイザー、または胡椒等の調味料類の小瓶といった容器を支持することができる。【００１８】  容器支持台座１はスポンジ状の素材で形成され、上記のように変形が容易なため、様々な大きさや形状の容器を好適に固定することができる。また、本容器支持台座１と作業場所との接地面に摩擦を生じ滑りにくい。且つ、詰め替え作業時に内容物がこぼれたとしても、洗浄、乾燥が容易である。【００１９】  切り込み部５に紐等を通して取り付けることにより、不使用時には、該紐等を壁等に固定されるフック等に引っ掛けて、本台座を掛けておくことができる。【００２０】  なお、本発明は、上記実施形態に限定されるものではなく、その他、本発明の要旨を逸脱しない範囲で、種々の変更実施が可能である。
【符号の説明】
【００２１】  １  容器支持台座
２  外台座
３  中台座
４  空洞部
５  切り込み部
６  大容器
７  中容器
８  中容器
９  小容器
１０  中台座
１１  切り込み部
【図１】
2020158201.tif 000003
【図２】
2020158201.tif 000004
【図３】
2020158201.tif 000005
【図４】
2020158201.tif 000006
【図５】
2020158201.tif 000007
【図６】
2020158201.tif 000008